(57)【要約】      （修正有）【課題】正常な歩行に重要な役割を持つ足指の筋の活性及び強化を簡便な方法にて図り、尚且つ、全身の緊張に伴う体内の熱量の消費を短時間に行う筋力改善靴底を提供する。【解決手段】互いに滑りやすい性質を持つ上下２枚の素材の一部を貼り合わせた。【選択図】図１
0003153269.tif 000002
【実用新案登録請求の範囲】
【請求項１】
２種の材料の一部を張り合わせて靴の中敷を形成し、その中敷を使用して歩行する
際に２種の材料が滑る事により、通常は使われていない筋を活性及び強化して、外反
母趾等の膝よりつま先までに発症する疾患を短期間に改善させる筋力改善靴底。
【請求項２】
上記の滑る構造を有した、スポーツ選手及び健康増進の為に歩行または走る運動を
している人を対象にした、足指の筋力強化を目的とする靴の中敷及び同様の構造を有
する、請求項１記載の筋力改善靴底
【請求項３】
上記の滑りを利用した健康改善と筋力の強化をする構造は、靴下と靴底との間で
滑りを目的とした組み合わせも含む、請求項１又は２記載の筋力改善靴底
【請求項４】
２種の材料が歩行運動をするたびに生ずる空間の増減により、靴内の空気の循環を
促進する、請求項１〜３のいずれか記載の筋力改善靴底
【考案の詳細な説明】
【技術分野】
【０００１】
本考案は足の指につながる筋の活性・強化を目的とする運動を、短時間で効果的に作
用する為の靴底の構造に関するものである
【背景技術】
【０００２】
靴底を２種類の耐摩耗性があり、尚且つ互いに滑り易い材料を張り合わせて構成する
【考案の開示】
【考案が解決しようとする課題】
【０００３】
健康志向の高まりと共に、歩く又は走る運動にて体調の維持・向上を目指す人口が増
加傾向にあるが、十分な運動量を確保するためには長時間の連続的な運動が必要とされ
ている。現在市販されている健康増進志向の靴の多くが硬く前方の上がった形状の靴底
を採用している為、本来の歩行に重要な足指の運動が阻害されてきている。足指の運動
が妨げられる事により、外反母趾などの疾患も多く起きている。高齢者がつま先を十分
に上げられないでつまずきによる転倒も、足先を運動させる筋の弱体化が一因となって
いる。スポーツ選手においても、足首より先を強く使う際に、応力がアキレス腱に多く
作用して断裂などの障害を受ける場合が多い。足指に繋がる筋を活性強化することによ
り、アキレス腱にかかる荷重を分担し、走る場面では、地面より足裏が離れる瞬間に足
指の動作により前進力を与え、跳躍の場面では、足首の運動と共に足指を使うことによ
り記録の向上が期待できる。
【課題を解決するための手段】
【０００４】
足裏と靴底との間に滑り易い構造の中間物を挟み、従来の靴を使用した歩行・走行で
は使われ難い足指に繋がる筋を積極的に運動させ、活性強化を図る。
【考案の効果】
【０００５】
足裏と靴底は滑り難く、靴内部では足先が前後左右に動くのを抑える形状が歩行及び
走行に適しているが、本考案では、靴の内部で特に足指部分と靴底との間で滑る構造を
作ることにより、歩行及び走行の安定が少し損なわれ、抗する為に足指を使うこととな
り、繋がる筋のみならず、姿勢安定の為に全身の各筋を緊張させ、短時間で体内にある
熱量の消費を促進することができる。また、筋力の増加により健康の増進と運動選手に
おいては記録の向上が望める。
【考案を実施するための最良の形態】
【０００６】
本考案を応用した靴底を作る場合、脱着の可能な中敷に適用して使用し、長時間の連
続使用に際しては、本来の足裏と靴底の滑り難い形態で使用するのが望ましい。また、
靴底の形状も外反母趾などの改善を目的とする場合は、足先に横方向に余裕のある形状
の靴と組み合わせて使用すると改善が早い。本考案は、足指運動と筋力増加の効果は大
きいが、歩行及び走行の姿勢維持にも多くの筋を緊張させる為、長時間の使用は避ける
べきである。運動選手においては、試技及び試合などでの使用は避け、筋力強化の場面
で効果的に使用するのが良い。
【実施例】
【０００７】
上記の目的を持つ靴底の構造と作用を添付の図面に従って説明する。
図１の符号１は本考案の靴内における配置を示し、本体は２枚又は展開した１枚の素材
を張り合わせた構造である。符号１ａ部は素材を強固に張り合わせ、歩行・走行時にも
容易に分離しない構造とする。符号１ｂ部は上下同一の形状であるが分離している。互
いの接触面は滑り易い性質を持ち、尚且つ、耐摩耗性の高い通気性を持った素材である。
上下の素材は符号１ｃ部で繋がっているが、２枚の素材が位相することを妨げない方式
で接続している。
【０００８】
図２は正立した状態の靴と足の関係を示している。符号２ａは足裏全体に体重が掛か
り本考案の２枚素材は密着している。また、足指は靴先の形状に合わせて符号２ｂの様
に左右から押されている。
【０００９】
図３は歩行或いは走行を始めた状態での足と靴底の関係を示している。体重がかかと
から足先へと移動する事に伴い、滑り易い２枚の靴底が位相を始め、符合３ａの空間を
生ずる。足裏に靴底の滑りを感じることにより無意識のうちに符号３ｂの様に足指を開
いて地面を確保しようと行動し、尚且つ、足先を中心にした緊張が起こる。結果、外反
母趾の症状の軽減と足指の筋の活性・強化及び全身の緊張による運動量の増加が起こる。
【００１０】
図４は歩行或いは走行を始めた状態の足裏と靴底の動作状況を、側面より見た図であ
る。かかとを上げて足先で符号４ａの方向へ地面を蹴る際に、遊離している２枚の靴底
の間で滑りが生じ、符号４ｂの部位がかかと方向へ移動して符号４ｃの空間が生ずる。
【００１１】
図５は靴が地面を離れる際に行われる足先と繋がる筋及び靴底との状態を、側面より
見た図である。足先が地面を離れる際に、図３で示した、無意識のうちに起こる足指の
（３）
地面を確保する行動が足先が地面を離れるまで続き、符合５ａの地面を蹴る動作が足指
の先で行われ、符号３の足指に繋がる筋を活性・強化する。また、符号４ｃで生じた空
間は、靴底の変形に伴い符号５ｂの様に収縮され、副次的に靴底での空気の循環が起こ
る。本考案を現在多く市販されている硬い靴底へ使用した場合でも、内部で同様の運動
が起こり、足指の筋力維持と改善向上及び通常行う運動以上に熱量の消費が促進される。
【００１２】
図６は、本考案により活性・強化される筋により運動選手への記録向上と筋断裂など
の障害の低減を示した図である。符号３の足指の筋の強化により、足首を伸ばす動作の
際に、アキレス腱へ多く掛かっていた負担を軽減し、筋力の補完をする事ができる。
符号６ａは跳躍の動作の際に足指を意識して使う事により跳躍力が高まる。符号６ｂは
走行する際に足指で地面を掻く動作を意識的に行うことにより歩幅が広まり、同歩数で
の移動距離が増す為、運動選手の記録向上が図れる。
【図面の簡単な説明】
【００１３】
【図１】本考案の靴内における配置と構造を示した斜視図
【図２】本考案と足との関係を静状態で示した斜視図
【図３】動作を始めた状態での本考案の作用と足指との関係を示した斜視図
【図４】動作を始めた状態での本考案の作用と足指との関係を示した側面図
【図５】靴が地面を離れる際に、足指が地面を蹴る動作を示した側面図
【図６】本考案により活性・強化される筋と期待される効果を示した側面図
【符号の説明】
【００１４】
１  本考案の本体
２  接地面
３  足指に繋がる筋
４  アキレス腱
【図１】
0003153269.tif 000003
【図２】
0003153269.tif 000004
【図３】
0003153269.tif 000005
【図４】
0003153269.tif 000006
【図５】
0003153269.tif 000007
【図６】
0003153269.tif 000008
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
上下２枚の素材を貼り合わせた靴の中敷であって、該２枚の素材の一部を貼り合わせて靴の中敷を形成し、該２枚の素材の接触面は互いに滑りやすい性質を持ち、その中敷を使用して歩行する際、２種の材料が滑る事により既存の靴を使用した歩行では起き難い靴とつま先及び足裏の滑りを人工的に起こして不安定な状態を作り、歩行時の安定した姿勢保持の為に体全体に緊張を生じさせ、特に通常では多く働かせていない足の指骨と中足骨を繋ぐ筋を活性及び強化して、外反母趾等の膝よりつま先までに発症する疾患を短期間に改善させる機能を有する筋力改善靴底。
【請求項２】
上記の互いに滑りやすい性質を持つ上下２枚の素材を貼り合わせ、該２枚の素材の一部を貼り合わせた靴の中敷を使用して運動を行う際、靴と足裏との間に人工的な滑りを起こして不安定な状態を作り、歩行又は走る運動で靴と足裏に起きる滑りに抗するつま先及び足首の運動負荷を増加させ、足の指骨と中足骨を繋ぐ筋及びアキレス腱の筋力強化を目的とする、スポーツ選手及び健康増進の為に歩行または走る運動を行う人を対象にした靴の中敷及び同様の構造を有する、請求項１記載の筋力改善靴底
【請求項３】
互いに滑りやすい性質を持った２種の素材を利用して、靴と足裏の滑りを人工的に作り、不安定な状態の歩行と走る運動に抗する筋の活性と強化を目的とする構造は、滑りやすい素材の上面を有する靴の中敷と滑りやすい性質を有した靴下との間で生じる滑りを利用した健康改善と筋力の強化を目的とした組み合わせの構造を含む、請求項１又は請求項２記載の筋力改善靴底
【請求項４】
互いに滑りやすい性質を持つ上下２枚の素材を貼り合わせ、該２枚の素材の一部を貼り合わせた靴の中敷を使用して歩行及び走行をする際、２種の素材間に生ずる空間の増減により、靴内の空気の循環を促進する、請求項１〜２のいずれか記載の筋力改善靴底
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
上下２枚の素材を貼り合わせた靴の中敷であって、該２枚の素材の一部を貼り合わせて靴の中敷を形成し、該２枚の素材の接触面は互いに滑りやすい性質を持ち、その中敷を使用して歩行する際、２種の材料が滑る事により既存の靴を使用した歩行では起き難い靴とつま先及び足裏の滑りを人工的に起こして不安定な状態を作り、歩行時の安定した姿勢保持の為に体全体に緊張を生じさせ、特に通常では多く働かせていない足の指骨と中足骨を繋ぐ筋を活性及び強化して、外反母趾等の膝よりつま先までに発症する疾患を短期間に改善させる機能を有する筋力改善靴底。
【請求項２】
上記の互いに滑りやすい性質を持つ上下２枚の素材を貼り合わせ、該２枚の素材の一部を貼り合わせた靴の中敷を使用して運動を行う際、靴と足裏との間に人工的な滑りを起こして不安定な状態を作り、歩行又は走る運動で靴と足裏に起きる滑りに抗するつま先及び足首の運動負荷を増加させ、足の指骨と中足骨を繋ぐ筋及びアキレス腱の筋力強化を目的とする、スポーツ選手及び健康増進の為に歩行または走る運動を行う人を対象にした靴の中敷を有する、請求項１記載の筋力改善靴底
【請求項３】
互いに滑りやすい性質を持った２種の素材を利用して、靴と足裏の滑りを人工的に作り、不安定な状態の歩行と走る運動に抗する筋の活性と強化を目的とする構造は、滑りやすい素材の上面を有する靴の中敷と滑りやすい性質を有した靴下との間で生じる滑りを利用した健康改善と筋力の強化を目的とした組み合わせの構造を含む、請求項１又は請求項２記載の筋力改善靴底
【請求項４】
互いに滑りやすい性質を持つ上下２枚の素材を貼り合わせ、該２枚の素材の一部を貼り合わせた靴の中敷を使用して歩行及び走行をする際、２種の素材間に生ずる空間の増減により、靴内の空気の循環を促進する、請求項１〜２のいずれか記載の筋力改善靴底